(57)【要約】可視アーチファクトを低減させるように電気光学ディスプレイを駆動するための種々の方法が説明される。そのような方法は、複数のディスプレイピクセルを有し、ディスプレイコントローラによって制御される電気光学ディスプレイを駆動することを含み、ディスプレイコントローラは、動作命令をディスプレイコントローラに提供するためのホストに関連付けられ、方法は、第１の画像でディスプレイを更新することと、第１の画像に続いて第２の画像でディスプレイを更新することと、第１の画像および第２の画像に関連付けられた画像データを処理し、エッジアーチファクトを伴うディスプレイピクセルを識別し、識別されたピクセルに関連付けられた画像データを生成することと、メモリ場所にエッジアーチファクトを伴う画像データ関連ピクセルを記憶することと、エッジアーチファクトを消去するための波形を開始することとを含み得る。
2021511542.tif 000002
【特許請求の範囲】
【請求項１】
複数のディスプレイピクセルを有する電気光学ディスプレイを駆動する方法であって、前記電気光学ディスプレイは、ディスプレイコントローラによって制御され、前記ディスプレイコントローラは、動作命令を前記ディスプレイコントローラに提供するためのホストに関連付けられており、前記方法は、
第１の画像で前記ディスプレイを更新することと、
前記第１の画像に続いて第２の画像で前記ディスプレイを更新することと、
前記第１の画像および前記第２の画像に関連付けられた画像データを処理し、エッジアーチファクトを伴うディスプレイピクセルを識別し、前記識別されたピクセルに関連付けられた画像データを生成することと、
メモリ場所にエッジアーチファクトを伴う前記画像データ関連ピクセルを記憶することと、
前記エッジアーチファクトを消去するための波形を開始することと
を含む、方法。
【請求項２】
前記識別されたピクセルに関連付けられた画像データを生成することは、インジケータを用いて前記識別されたピクセルにフラグを付けることを含む、請求項１に記載の方法。
【請求項３】
エッジアーチファクトを伴うディスプレイピクセルを識別する前記ステップは、その基本隣接ピクセルのうちの少なくとも１つと異なるグレートーンを有するディスプレイピクセルを決定することを含む、請求項２に記載の方法。
【請求項４】
エッジアーチファクトを伴うディスプレイピクセルを識別する前記ステップは、前記ディスプレイのコントローラに関連付けられたバッファメモリ内の前記識別されたピクセルにフラグを付けることを含む、請求項２に記載の方法。
【請求項５】
一連の波形を開始する前記ステップは、前記ホストから消去命令を受信することを含む、請求項１に記載の方法。
【請求項６】
一連の波形を開始する前記ステップは、前記ディスプレイコントローラが、所定の持続時間にわたってアイドリングした後に消去波形を開始することを含む、請求項１に記載の方法。
【請求項７】
一連の波形を開始する前記ステップは、エッジアーチファクトを消去するための波形を有する波形モードを印加することを含む、請求項１に記載の方法。
【請求項８】
一連の波形を開始する前記ステップは、ＤＣ非平衡波形を印加することを含む、請求項１に記載の方法。
【発明の詳細な説明】
【技術分野】
【０００１】
本発明は、電気光学ディスプレイを駆動する方法に関する。より具体的に、本発明は、電気光学ディスプレイにおけるピクセルエッジアーチファクトおよび／または画像残留を低減させるための駆動方法に関する。
【背景技術】
【０００２】
電気光学ディスプレイは、典型的に、それらの各々がディスプレイの１つのピクセルを画定する複数のピクセル電極を提供されるバックプレーンを有する。従来的に、多数のピクセル、通常、ディスプレイ全体にわたって延びている単一の共通電極が、電気光学媒体の反対側に提供される。個々のピクセル電極は、直接駆動され得るか（すなわち、別個の導体が各ピクセル電極に提供され得る）、または、ピクセル電極は、バックプレーン技術の当業者に熟知されているであろうアクティブマトリクス様式で駆動され得る。隣接するピクセル電極が、多くの場合、異なる電圧にあろうから、それらは、電極間の電気短絡を回避するために、有限幅のピクセル間の間隙によって分離されなければならない。一見すると、これらの間隙に重なる電気光学媒体は、駆動電圧がピクセル電極に印加されるときに切り替わらないであろうと考えられ得る（実際、それは、多くの場合、液晶等のいくつかの非双安定電気光学媒体に当てはまり、黒色マスクは、典型的に、これらの非切り替わり間隙を隠すために提供される）が、多くの双安定電気光学媒体の場合、間隙に重なる媒体は、「ブルーミング」として公知である現象により、切り替わる。
【０００３】
ブルーミングは、ピクセル電極への駆動電圧の印加が、ピクセル電極の物理的サイズより大きいにわたって電気光学媒体の光学状態の変化を引き起こす傾向を指す。過剰なブルーミングは、回避されるべきである（例えば、高解像度アクティブマトリクスディスプレイにおいて、これがディスプレイの有効解像度を低減させるであろうから、単一のピクセルへの駆動電圧の印加がいくつかの隣接するピクセルを覆うエリアにわたって切り替わりを引き起こすことを望まない）が、制御された量のブルーミングは、多くの場合、有用である。例えば、各数字のために７つの直接駆動されるピクセル電極の従来の７セグメントアレイを使用して数字を表示する白地に黒の電気光学ディスプレイを考慮されたい。例えば、ゼロが表示されるとき、６つのセグメントが、黒に変えられる。ブルーミングが存在しない場合、６つのピクセル間の間隙が、目に見えるであろう。しかしながら、例えば、前述の第２００５／００６２７１４号（特許文献１）に説明されるように、制御された量のブルーミングを提供することによって、ピクセル間の間隙は、黒に変化させられ、より視覚的に美しい数字をもたらし得る。しかしながら、ブルーミングは、「エッジ残影」と表される問題につながり得る。
【０００４】
ブルーミングのエリアは、一様に白色または黒色ではなく、典型的に、ブルーミングのエリアを横断して移動すると、媒体の色がグレーの種々の色合いを通して白から黒に遷移する、遷移ゾーンである。故に、エッジ残影は、典型的に、一様なグレーエリアではなく、グレーの種々の色合いのエリアであろうが、特に、ヒトの眼が、各ピクセルが純黒色または純白色であると仮定される単色画像内でグレーのエリアを検出する能力を持っているので、依然として、目に見え、かつ不愉快であり得る。
【０００５】
ある場合、非対称ブルーミングが、エッジ残影に寄与し得る。「非対称ブルーミング」は、いくつかの電気光学媒体（例えば、米国特許第７，００２，７２８号（特許文献２）に説明される銅クロマイト／チタニアのカプセル化された電気泳動媒体）において、ピクセルの一方の極端な光学状態から他方の極端な光学状態への遷移中、逆方向への遷移中より大きなブルーミングが起こるという意味で、ブルーミングが「非対称」である現象を指し、この特許に説明される媒体において、典型的に、黒色・白色遷移中のブルーミングは、白色・黒色遷移中のそれより大きい。
したがって、残影またはブルーミング効果を低減させ得る駆動方法が、所望される。
【先行技術文献】
【特許文献】
【０００６】
【特許文献１】国際公開第２００５／００６２７１４号
【特許文献２】米国特許第７，００２，７２８号明細書
【発明の概要】
【課題を解決するための手段】
【０００７】
故に、一側面において、複数のディスプレイピクセルを有し、ディスプレイコントローラによって制御される電気光学ディスプレイを駆動する方法であって、ディスプレイコントローラは、動作命令をディスプレイコントローラに提供するためのホストに関連付けられ、方法は、第１の画像でディスプレイを更新することと、第１の画像に続いて第２の画像でディスプレイを更新することと、第１の画像および第２の画像に関連付けられた画像データを処理し、エッジアーチファクトを伴うディスプレイピクセルを識別し、識別されたピクセルに関連付けられた画像データを生成することと、メモリ場所にエッジアーチファクトを伴う画像データ関連ピクセルを記憶することと、エッジアーチファクトを消去するための波形を開始することとを含み得る。
【０００８】
別の実施形態において、本明細書に提起される主題は、複数のディスプレイピクセルを有する電気光学ディスプレイを駆動する方法を提供する。方法は、第１の画像でディスプレイを更新することと、第１の画像更新後、エッジアーチファクトを伴うディスプレイピクセルを識別することと、アーチファクトを除去するように設計された波形を識別されたピクセルに印加することと、別の画像をディスプレイに更新することとを含む。いくつかの実施形態において、方法は、第１の画像と第２の画像との間のディスプレイピクセルのグレートーン遷移を決定することも含み得る。いくつか他の実施形態において、方法は、その基本隣接ピクセルのうちの少なくとも１つと異なるグレートーンを有するディスプレイピクセルを決定することと、ディスプレイのコントローラに関連付けられるメモリ内の識別されたピクセルにフラグを付けることとを含み得る。
【図面の簡単な説明】
【０００９】
【図１】図１は、電気泳動ディスプレイを表す回路図を図示する。
【００１０】
【図２】図２は、電気光学結像層の回路モデルを図示する。
【００１１】
【図３Ａ】図３ａは、白色・白色遷移を経るピクセルに関する例示的特別なパルス対エッジ消去波形を図示する。
【００１２】
【図３Ｂ】図３ｂは、白色・白色遷移を経るピクセルに関する白色エッジを消去するための例示的特別なＤＣ非平衡パルスを図示する。
【００１３】
【図３Ｃ】図３ｃは、例示的特別な完全白色・白色駆動波形を図示する。
【００１４】
【図４Ａ】図４ａは、黒色・黒色遷移を経るピクセルに関する例示的特別なエッジ消去波形を図示する。
【００１５】
【図４Ｂ】図４ｂは、例示的特別な完全黒色・黒色駆動波形を図示する。
【００１６】
【図５Ａ】図５ａは、ブルーミングまたは残影効果を伴うディスプレイのスクリーンショットを図示する。
【００１７】
【図５Ｂ】図５ｂは、本明細書に提起される主題に従って適用されるブルーミングまたは残影効果低減を伴うディスプレイの別のスクリーンショットを図示する。
【００１８】
【図６】図６は、サンプル大域的エッジ消去（ＧＥＣ）波形を図示する。
【発明を実施するための形態】
【００１９】
本発明は、電気光学ディスプレイ、特に、双安定電気光学ディスプレイを駆動する方法と、そのような方法での使用のための装置とに関する。より具体的に、本発明は、そのようなディスプレイにおいて、「残影」およびエッジ効果の低減、ならびに点滅の低減を可能にし得る駆動方法に関する。本発明は、排他的ではないが、特に、１つ以上のタイプの帯電粒子が流体中に存在し、それらが電場の影響下で流体を通して移動させられ、ディスプレイの外観を変化させる粒子ベースの電気泳動ディスプレイとの使用のために意図されている。
【００２０】
用語「電気光学」は、材料またはディスプレイに適用されるように、画像化技術分野におけるその従来的な意味で使用され、少なくとも１つの光学特性が異なる第１および第２の表示状態を有する材料であり、材料への電場の印加によって、その第１からその第２の表示状態に変化させられる材料を指すために、本明細書で使用される。光学特性は、典型的に、ヒトの眼に知覚可能な色であるが、光学透過率、反射率、ルミネッセンス、または機械読み取りのために意図されるディスプレイの場合、可視範囲外の電磁波長の反射率の変化の意味における擬似色等の別の光学特性であり得る。
【００２１】
用語「グレー状態」は、画像化技術分野におけるその従来的な意味で本明細書で使用され、２つの極端なピクセルの光学状態の中間の状態を指し、必ずしも黒と白とのこれらの２つの極端な状態の間の遷移を意味するわけではない。例えば、下で参照されるいくつかのＥ  Ｉｎｋ特許および公開された出願は、中間の「グレー状態」が実際には薄青であるように、極端な状態が白および濃青である電気泳動ディスプレイを説明している。実際、すでに記述されているように、光学状態の変化は、全く色の変化ではないこともある。用語「黒」および「白」は、ディスプレイの２つの極端な光学状態を指すために以降で使用され得、通常、厳密には黒および白ではない極端な光学状態、例えば、前述の白および濃青状態を含むとして理解されるべきである。用語「単色」は、以降において、介在グレー状態を伴わず、ピクセルをそれらの２つの極端な光学状態のみに駆動する駆動スキームを表すために使用され得る。
【００２２】
いくつかの電気光学材料は、材料が固体外部表面を有するという意味で固体であるが、材料は、多くの場合、内部液体または気体充填空間を有し得る。固体電気光学材料を使用するそのようなディスプレイは、以降において、便宜上、「固体電気光学ディスプレイ」と称され得る。したがって、用語「固体電気光学ディスプレイ」は、回転二色部材ディスプレイ、カプセル化された電気泳動ディスプレイ、マイクロセル電気泳動ディスプレイ、およびカプセル化された液晶ディスプレイを含む。
【００２３】
用語「双安定」および「双安定性」は、当技術分野におけるそれらの従来の意味で、少なくとも１つの光学特性が異なる第１および第２の表示状態を有する表示要素を備えているディスプレイであり、第１または第２の表示状態のうちのいずれか一方を示すように、有限持続時間のアドレスパルスを用いて、任意の所与の要素が駆動されてから、アドレスパルスが終了した後、表示要素の状態を変化させるために要求されるアドレスパルスの最小持続時間の少なくとも数倍、例えば、少なくとも４倍、その状態が続くようなディスプレイを指すために、本明細書で使用される。米国特許第７，１７０，６７０号において、グレースケール対応のいくつかの粒子ベースの電気泳動ディスプレイが、それらの極端な黒色および白色状態においてだけではなく、それらの中間グレー状態においても、安定しており、同じことは、いくつかの他のタイプの電気光学ディスプレイにも当てはまることが示されている。このタイプのディスプレイは、適切には、双安定ではなく「多安定」と呼ばれるが、便宜上、用語「双安定」が、本明細書において、双安定および多安定ディスプレイの両方を対象とするために使用され得る。
【００２４】
用語「インパルス」は、時間に対する電圧の積分のその従来の意味で、本明細書で使用される。しかしながら、いくつかの双安定電気光学媒体は、電荷トランスデューサとしての機能を果たし、そのような媒体の場合、インパルスの代替定義、すなわち、経時的な電流の積分（印加される全電荷に等しい）が、使用され得る。インパルスの適切な定義が、媒体が電圧時間インパルストランスデューサとしての機能を果たすか、電荷インパルストランスデューサとしての機能を果たすかに応じて、使用されるべきである。
【００２５】
下記の議論の多くは、初期グレーレベルから最終グレーレベル（初期グレーレベルと異なることも、異ならないこともある）への遷移を通して、電気光学ディスプレイの１つ以上のピクセルを駆動する方法に焦点を当てるであろう。用語「波形」は、ある特定の初期グレーレベルから特定の最終グレーレベルへの遷移をもたらすために使用される、時間に対する電圧全体の曲線を示すために使用されるであろう。典型的に、そのような波形は、複数の波形要素を備えているであろう。すなわち、これらの要素が、本質的に長方形である場合（すなわち、所与の要素が、ある期間にわたって一定電圧の印加を備えている場合）、要素は、「パルス」または「駆動パルス」と呼ばれ得る。用語「駆動スキーム」は、特定のディスプレイに関するグレーレベル間のあらゆる可能な遷移をもたらすために十分な波形の組を示す。ディスプレイは、２つ以上の駆動スキームを利用し得る。例えば、前述の米国特許第７，０１２，６００号は、駆動スキームが、ディスプレイの温度またはその寿命の間に動作中であった時間等のパラメータに応じて、修正される必要があり得、したがって、ディスプレイが、異なる温度等で使用されるべき複数の異なる駆動スキームを提供され得ることを教示する。このようにして使用される駆動スキームの組は、「関連駆動スキームの組」と称され得る。前述のＭＥＤＥＯＤ出願のうちのいくつかに説明されるように、２つ以上の駆動スキームを同じディスプレイの異なるエリア内で同時に使用することも可能であり、このようにして使用される駆動スキームの組は、「同時駆動スキームの組」と称され得る。
【００２６】
いくつかのタイプの電気光学ディスプレイが、公知である。１つのタイプの電気光学ディスプレイは、例えば、米国特許第５，８０８，７８３号、第５，７７７，７８２号、第５，７６０，７６１号、第６，０５４，０７１号、第６，０５５，０９１号、第６，０９７，５３１号、第６，１２８，１２４号、第６，１３７，４６７号、および第６，１４７，７９１号に説明されるような回転二色部材タイプである（このタイプのディスプレイは、多くの場合、「回転二色ボール」ディスプレイと称されるが、上で記述される特許のうちのいくつかにおいて、回転部材が球形ではないので、用語「回転二色部材」の方がより正確なものとして好ましい）。そのようなディスプレイは、多数の小さい本体（典型的に、球形または円筒形）を使用し、小さい本体は、異なる光学特性を伴う２つ以上の区分と、内部双極子とを有する。これらの本体は、マトリクス内に液体が充填された空胞内に懸濁され、空胞は、本体が自由に回転するように、液体で充填されている。ディスプレイの外観は、それに電場を印加することによって、したがって、本体を種々の位置に回転させ、視認表面を通して見られる本体の区分の位置を変動させることによって、変更される。このタイプの電気光学媒体は、典型的に、双安定である。
【００２７】
別のタイプの電気光学ディスプレイは、エレクトロクロミック媒体、例えば、少なくとも部分的に半導体金属酸化物から形成される電極と、電極に付着した可逆的色変化が可能な複数の染色分子とを備えているナノクロミックフィルムの形態におけるエレクトロクロミック媒体を使用する。例えば、Ｏ’Ｒｅｇａｎ，Ｂ．，ｅｔ  ａｌ．，Ｎａｔｕｒｅ  １９９１，３５３，７３７、およびＷｏｏｄ，Ｄ．，Ｉｎｆｏｒｍａｔｉｏｎ  Ｄｉｓｐｌａｙ，１８（３），２４  （Ｍａｒｃｈ  ２００２）を参照されたい。また、Ｂａｃｈ，Ｕ．，ｅｔ  ａｌ．，Ａｄｖ．  Ｍａｔｅｒ．，２００２，１４（１１），８４５も参照されたい。このタイプのナノクロミックフィルムは、例えば、米国特許第６，３０１，０３８号、第６，８７０，６５７号、および第６，９５０，２２０号にも説明されている。このタイプの媒体も、典型的に、双安定である。
【００２８】
別のタイプの電気光学ディスプレイは、Ｐｈｉｌｉｐｓによって開発され、Ｈａｙｅｓ，Ｒ．  Ａ．，ｅｔ  ａｌ．  “Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ”，Ｎａｔｕｒｅ，４２５，３８３−３８５（２００３）に説明されるエレクトロウェッティングディスプレイである。米国特許第７，４２０，５４９号において、そのようなエレクトロウェッティングディスプレイは、双安定にされ得ることが示されている。
【００２９】
長年にわたり集中的な研究および開発の関心の対象である、あるタイプの電気光学ディスプレイは、複数の帯電粒子が電場の影響下で流体を通して移動する粒子ベースの電気泳動ディスプレイである。電気泳動ディスプレイは、液晶ディスプレイと比較したとき、良好な輝度およびコントラスト、広視野角、状態双安定性、ならびに低電力消費の属性を有することができる。それにもかかわらず、これらのディスプレイの長期画質に関する問題は、それらの広範な利用を妨げている。例えば、電気泳動ディスプレイを構成する粒子は、沈降する傾向があり、これらのディスプレイの不十分な使用可能寿命をもたらす。
【００３０】
上記のように、電気泳動媒体は、流体の存在を要求する。殆どの従来技術の電気泳動媒体において、この流体は、液体であるが、電気泳動媒体は、ガス状流体を使用して生産されることもできる（例えば、Ｋｉｔａｍｕｒａ，Ｔ．，ｅｔ  ａｌ．  Ｅｌｅｃｔｒｉｃａｌ  ｔｏｎｅｒ  ｍｏｖｅｍｅｎｔ  ｆｏｒ  ｅｌｅｃｔｒｏｎｉｃ  ｐａｐｅｒ−ｌｉｋｅ  ｄｉｓｐｌａｙ，ＩＤＷ  Ｊａｐａｎ，２００１，Ｐａｐｅｒ  ＨＣＳ１−１、およびＹａｍａｇｕｃｈｉ，Ｙ．，ｅｔ  ａｌ．，Ｔｏｎｅｒ  ｄｉｓｐｌａｙ  ｕｓｉｎｇ  ｉｎｓｕｌａｔｉｖｅ  ｐａｒｔｉｃｌｅｓ  ｃｈａｒｇｅｄ  ｔｒｉｂｏｅｌｅｃｔｒｉｃａｉｌｙ，ＩＤＷ  Ｊａｐａｎ，２００１，Ｐａｐｅｒ  ＡＭＤ４−４を参照）。同様に、米国特許第７，３２１，４５９号および第７，２３６，２９１号も参照されたい。そのようなガスベースの電気泳動媒体は、例えば、媒体が垂直面に配置される看板で、媒体がそのような沈降を可能にする向きで使用されるとき、粒子沈降に起因して液体ベースの電気泳動媒体と同じタイプの問題の影響を受けやすいと考えられる。実際、粒子沈降は、液体の粘度と比較して、ガス状懸濁流体のより低い粘度が、電気泳動粒子のより高速の沈降を可能にするので、液体ベースの電気泳動媒体よりガスベースの電気泳動媒体において深刻な問題であると考えられる。
【００３１】
Ｍａｓｓａｃｈｕｓｅｔｔｓ  Ｉｎｓｔｉｔｕｔｅ  ｏｆ  Ｔｅｃｈｎｏｌｏｇｙ（ＭＩＴ）およびＥ  Ｉｎｋ  Ｃｏｒｐｏｒａｔｉｏｎに譲渡された、またはそれらの名義の多数の特許および出願は、カプセル化された電気泳動および他の電気光学媒体に使用される種々の技術を説明している。そのようなカプセル化された媒体は、多数の小型カプセルを含み、それらの各々は、それ自体が、電気泳動により移動可能な粒子を流体媒体中に含む内相と、内相を包囲するカプセル壁とを備えている。典型的に、カプセルは、それら自体は、２つの電極間に位置付けられる密着した層を形成するポリマー結合剤内に保持される。これらの特許および出願に説明される技術は、以下を含む。
【００３２】
（ａ）電気泳動粒子、流体、および流体添加物（例えば、米国特許第７，００２，７２８号および第７，６７９，８１４号を参照）
【００３３】
（ｂ）カプセル、結合剤、およびカプセル化プロセス（例えば、米国特許第６，９２２，２７６号および第７，４１１，７１９号を参照）
【００３４】
（ｃ）マイクロセル構造、壁材料、およびマイクロセルを形成する方法（例えば、米国特許第７，０７２，０９５号および第９，２７９，９０６号を参照）
【００３５】
（ｄ）マイクロセルを充填および密閉する方法（例えば、米国特許第７，１４４，９４２号および第７，７１５，０８８号を参照）
【００３６】
（ｅ）電気光学材料を含むフィルムおよびサブアセンブリ（例えば、米国特許第６，９８２，１７８号および第７，８３９，５６４号を参照）
【００３７】
（ｆ）バックプレーン、接着剤層、および他の補助層、ならびにディスプレイで使用される方法（例えば、米国特許第７，１１６，３１８号および第７，５３５，６２４号を参照）
【００３８】
（ｇ）色形成および色調節（例えば、米国特許第７，０７５，５０２号および第７，８３９，５６４号を参照）
【００３９】
（ｈ）ディスプレイの適用（例えば、米国特許第７，３１２，７８４号および第８，００９，３４８号を参照）
【００４０】
（ｉ）米国特許第６，２４１，９２１号および米国特許出願公開第２０１５／０２７７１６０号に説明されるような非電気泳動ディスプレイ、ならびにディスプレイ以外のカプセル化およびマイクロセル技術の適用（例えば、米国特許出願公開第２０１５／０００５７２０号および第２０１６／００１２７１０号を参照）
【００４１】
（ｊ）ディスプレイを駆動する方法（例えば、米国特許第５，９３０，０２６号、第６，４４５，４８９号、第６，５０４，５２４号、第６，５１２，３５４号、第６，５３１，９９７号、第６，７５３，９９９号、第６，８２５，９７０号、第６，９００，８５１号、第６，９９５，５５０号、第７，０１２，６００号、第７，０２３，４２０号、第７，０３４，７８３号、第７，０６１，１６６号、第７，０６１，６６２号、第７，１１６，４６６号、第７，１１９，７７２号、第７，１７７，０６６号、第７，１９３，６２５号、第７，２０２，８４７号、第７，２４２，５１４号、第７，２５９，７４４号、第７，３０４，７８７号、第７，３１２，７９４号、第７，３２７，５１１号、第７，４０８，６９９号、第７，４５３，４４５号、第７，４９２，３３９号、第７，５２８，８２２号、第７，５４５，３５８号、第７，５８３，２５１号、第７，６０２，３７４号、第７，６１２，７６０号、第７，６７９，５９９号、第７，６７９，８１３号、第７，６８３，６０６号、第７，６８８，２９７号、第７，７２９，０３９号、第７，７３３，３１１号、第７，７３３，３３５号、第７，７８７，１６９号、第７，８５９，７４２号、第７，９５２，５５７号、第７，９５６，８４１号、第７，９８２，４７９号、第７，９９９，７８７号、第８，０７７，１４１号、第８，１２５，５０１号、第８，１３９，０５０号、第８，１７４，４９０号、第８，２４３，０１３号、第８，２７４，４７２号、第８，２８９，２５０号、第８，３００，００６号、第８，３０５，３４１号、第８，３１４，７８４号、第８，３７３，６４９号、第８，３８４，６５８号、第８，４５６，４１４号、第８，４６２，１０２号、第８，５３７，１０５号、第８，５５８，７８３号、第８，５５８，７８５号、第８，５５８，７８６号、第８，５５８，８５５号、第８，５７６，１６４号、第８，５７６，２５９号、第８，５９３，３９６号、第８，６０５，０３２号、第８，６４３，５９５号、第８，６６５，２０６号、第８，６８１，１９１号、第８，７３０，１５３号、第８，８１０，５２５号、第８，９２８，５６２号、第８，９２８，６４１号、第８，９７６，４４４号、第９，０１３，３９４号、第９，０１９，１９７号、第９，０１９，１９８号、第９，０１９，３１８号、第９，０８２，３５２号、第９，１７１，５０８号、第９，２１８，７７３号、第９，２２４，３３８号、第９，２２４，３４２号、第９，２２４，３４４号、第９，２３０，４９２号、第９，２５１，７３６号、第９，２６２，９７３号、第９，２６９，３１１号、第９，２９９，２９４号、第９，３７３，２８９号、第９，３９０，０６６号、第９，３９０，６６１号、および第９，４１２，３１４号、ならびに米国特許出願公開第２００３／０１０２８５８号、第２００４／０２４６５６２号、第２００５／０２５３７７７号、第２００７／００７００３２号、第２００７／００７６２８９号、第２００７／００９１４１８号、第２００７／０１０３４２７号、第２００７／０１７６９１２号、第２００７／０２９６４５２号、第２００８／００２４４２９号、第２００８／００２４４８２号、第２００８／０１３６７７４号、第２００８／０１６９８２１号、第２００８／０２１８４７１号、第２００８／０２９１１２９号、第２００８／０３０３７８０号、第２００９／０１７４６５１号、第２００９／０１９５５６８号、第２００９／０３２２７２１号、第２０１０／０１９４７３３号、第２０１０／０１９４７８９号、第２０１０／０２２０１２１号、第２０１０／０２６５５６１号、第２０１０／０２８３８０４号、第２０１１／００６３３１４号、第２０１１／０１７５８７５号、第２０１１／０１９３８４０号、第２０１１／０１９３８４１号、第２０１１／０１９９６７１号、第２０１１／０２２１７４０号、第２０１２／０００１９５７号、第２０１２／００９８７４０号、第２０１３／００６３３３３号、第２０１３／０１９４２５０号、第２０１３／０２４９７８２号、第２０１３／０３２１２７８号、第２０１４／０００９８１７号、第２０１４／００８５３５５号、第２０１４／０２０４０１２号、第２０１４／０２１８２７７号、第２０１４／０２４０２１０号、第２０１４／０２４０３７３号、第２０１４／０２５３４２５号、第２０１４／０２９２８３０号、第２０１４／０２９３３９８号、第２０１４／０３３３６８５号、第２０１４／０３４０７３４号、第２０１５／００７０７４４号、第２０１５／００９７８７７号、第２０１５／０１０９２８３号、第２０１５／０２１３７４９号、第２０１５／０２１３７６５号、第２０１５／０２２１２５７号、第２０１５／０２６２２５５号、第２０１６／００７１４６５号、第２０１６／００７８８２０号、第２０１６／００９３２５３号、第２０１６／０１４０９１０号、および第２０１６／０１８０７７７号を参照）
【００４２】
前述の特許および出願の多くは、カプセル化された電気泳動媒体内の別々のマイクロカプセルを包囲する壁が、連続相と置換され得、したがって、いわゆる高分子分散電気泳動ディスプレイを生産し、電気泳動媒体は、電気泳動流体の複数の別々の液滴と、高分子材料の連続相とから成り、そのような高分子分散電気泳動ディスプレイにおける電気泳動流体の別々の液滴が、別々のカプセル膜が各個々の液滴に関連付けられない場合でも、カプセルまたはマイクロカプセルと見なされ得ることを認識する。例えば、米国公開第２００２／０１３１１４７号を参照されたい。故に、本願の目的のために、そのような高分子分散電気泳動媒体は、カプセル化された電気泳動媒体の亜種と見なされる。
【００４３】
関連タイプの電気泳動ディスプレイは、いわゆる「マイクロセル電気泳動ディスプレイ」である。マイクロセル電気泳動ディスプレイにおいて、荷電粒子および懸濁流体は、マイクロカプセル内にカプセル化されず、代わりに、キャリア媒体、例えば、ポリマーフィルム内に形成される複数の空洞内に保持される。例えば、両方は、Ｓｉｐｉｘ  Ｉｍａｇｉｎｇ，Ｉｎｃ．に譲渡されている国際出願公開第ＷＯ０２／０１２８１号および公開された米国出願第２００２／００７５５５６号を参照されたい。
【００４４】
前述のＥ  ＩｎｋおよびＭＩＴ特許ならびに出願の多くは、マイクロセル電気泳動ディスプレイおよび高分子分散電気泳動ディスプレイも想定する。用語「カプセル化された電気泳動ディスプレイ」は、あらゆるそのようなディスプレイタイプを指し得、これは、壁の形態にわたって一般化するために、集合的に「マイクロキャビティ電気泳動ディスプレイ」と説明され得る。
【００４５】
別のタイプの電気光学ディスプレイは、Ｐｈｉｌｉｐｓによって開発され、Ｈａｙｅｓ，Ｒ．  Ａ．，ｅｔ  ａｌ．  “Ｖｉｄｅｏ−Ｓｐｅｅｄ  Ｅｌｅｃｔｒｏｎｉｃ  Ｐａｐｅｒ  Ｂａｓｅｄ  ｏｎ  Ｅｌｅｃｔｒｏｗｅｔｔｉｎｇ”，Ｎａｔｕｒｅ，４２５，３８３−３８５（２００３）に説明されるエレクトロウェッティングディスプレイである。２００４年１０月６日に出願された同時係属中の出願第１０／７１１，８０２号において、そのようなエレクトロウェッティングディスプレイは、双安定にされ得ることが示されている。
【００４６】
他のタイプの電気光学材料も、使用され得る。特に着目すべきこととして、双安定強誘電液晶ディスプレイ（ＦＬＣ）が、当技術分野において公知であり、残留電圧挙動を示している。
【００４７】
電気泳動媒体は、不透明であり（例えば、多くの電気泳動媒体において、粒子がディスプレイを通した可視光の透過を実質的に遮断するので）、反射モードで動作し得るが、いくつかの電気泳動ディスプレイは、ある表示状態が、実質的に不透明であり、ある表示状態が、光透過性であるいわゆる「シャッタモード」で動作するようにされることができる。例えば、米国特許第６，１３０，７７４号および第６，１７２，７９８号、ならびに米国特許第５，８７２，５５２号、第６，１４４，３６１号、第６，２７１，８２３号、第６，２２５，９７１号、および第６，１８４，８５６号を参照されたい。電気泳動ディスプレイに類似するが、電場強度の変動に依拠する誘電泳動ディスプレイは、同様のモードで動作することができる。米国特許第４，４１８，３４６号を参照されたい。他のタイプの電気光学ディスプレイも、シャッタモードで動作することが可能であり得る。
【００４８】
高分解能ディスプレイは、隣接するピクセルからの干渉を伴わずにアドレス可能である個々のピクセルを含み得る。そのようなピクセルを取得する１つの方法は、トランジスタまたはダイオード等の非線形要素のアレイを提供することであり、少なくとも１つの非線形要素は、各ピクセルに関連付けられ、「アクティブマトリクス」ディスプレイを生産する。１つのピクセルをアドレスするアドレスまたはピクセル電極は、関連付けられた非線形要素を通して、適切な電圧源に接続される。非線形要素が、トランジスタであるとき、ピクセル電極は、トランジスタのドレインに接続され得、この配列が、以下の説明では仮定されるであろうが、本質的に恣意的であり、ピクセル電極は、トランジスタのソースにも接続され得る。高分解能アレイにおいて、ピクセルは、任意の特定のピクセルが、１つの規定された行と１つの規定された列の交点によって一意に画定されるように、行および列の２次元アレイで配列され得る。各列内の全てのトランジスタのソースは、単一列電極に接続され得る一方、各行内の全てのトランジスタのゲートは、単一行電極に接続され得る。再び、行へのソースおよび列へのゲートの割り当ては、所望に応じて、逆転され得る。
【００４９】
ディスプレイは、行毎様式で書き込まれ得る。行電極は、行ドライバに接続され、それらは、選択された行内の全てのトランジスタが伝導性であることを確実にするような電圧を選択された行電極に印加する一方、これらの選択されていない行内の全てのトランジスタが非伝導性のままであることを確実にするような電圧を全ての他の行に印加し得る。列電極は、列ドライバに接続され、それらは、選択された行内のピクセルをそれらの所望の光学状態に駆動するように選択される電圧を種々の列電極にかける。（前述の電圧は、電気光学媒体の非線形アレイと反対側に提供され、ディスプレイ全体にわたって延び得る共通正面電極に対するものである。当技術分野において公知のように、電圧は、相対的であり、２つの点の間の電荷差の尺度である。一方の電圧値は、別の電圧値に対するものである。例えば、ゼロ電圧（「０Ｖ」）は、別の電圧に対して無電圧差を有することを指す。）「ラインアドレス時間」として公知である事前選択された間隔後、選択された行が選択解除され、別の行が選択され、列ドライバ上の電圧は、ディスプレイの次のラインが書き込まれるように変化させられる。
【００５０】
しかしながら、使用時、ある波形が、電気光学ディスプレイのピクセルへの残留電圧を生成し得、上記の議論から明白であるように、この残留電圧は、いくつかの不要な光学効果を生成し、一般に、望ましくない。
【００５１】
本明細書に提起されるように、アドレスパルスに関連付けられた光学状態における「シフト」は、電気光学ディスプレイへの特定のアドレスパルスの最初の印加が第１の光学状態（例えば、第１のグレー色調）をもたらし、電気光学ディスプレイへの同じアドレスパルスの後続の印加が第２の光学状態（例えば、第２のグレー色調）をもたらす状況を指す。残留電圧は、アドレスパルスの印加中に電気光学ディスプレイのピクセルに印加される電圧が、残留電圧とアドレスパルスの電圧との和を含むので、光学状態におけるシフトを生じさせ得る。
【００５２】
経時的なディスプレイの光学状態における「ドリフト」は、ディスプレイが静止している間に（例えば、アドレスパルスがディスプレイに印加されない期間中に）電気光学ディスプレイの光学状態が変化する状況を指す。残留電圧は、ピクセルの光学状態がピクセルの残留電圧に依存し得、ピクセルの残留電圧が経時的に減衰し得るので、光学状態におけるドリフトを生じさせ得る。
【００５３】
上で議論されるように、「残影」は、電気光学ディスプレイが書き換えられた後、前の画像の痕跡が依然として目に見える状況を指す。残留電圧は、前の画像の一部の輪郭（エッジ）が見えたままである残影のタイプである「エッジ残影」を生じさせ得る。
【００５４】
（例示的ＥＰＤ）
【００５５】
図１は、本明細書に提起される主題による電気光学ディスプレイのピクセル１００の概略図を示す。ピクセル１００は、結像フィルム１１０を含み得る。いくつかの実施形態において、結像フィルム１１０は、双安定であり得る。いくつかの実施形態において、結像フィルム１１０は、限定ではないが、例えば、荷電顔料粒子を含み得るカプセル化された電気泳動結像フィルムを含み得る。
【００５６】
結像フィルム１１０は、正面電極１０２と背面電極１０４との間に配置され得る。正面電極１０２は、結像フィルムとディスプレイの正面との間に形成され得る。いくつかの実施形態において、正面電極１０２は、透明であり得る。いくつかの実施形態において、正面電極１０２は、限定ではないが、インジウムスズ酸化物（ＩＴＯ）を含む任意の好適な透明材料から形成され得る。背面電極１０４は、正面電極１０２の反対側に形成され得る。いくつかの実施形態において、寄生静電容量（図示せず）が、正面電極１０２と背面電極１０４との間に形成され得る。
【００５７】
ピクセル１００は、複数のピクセルのうちの１つであり得る。複数のピクセルは、行および列の２次元アレイに配列され、マトリクスを形成し得、任意の特定のピクセルは、１つの規定された行と１つの規定された列との交点によって一意に画定される。いくつかの実施形態において、ピクセルのマトリクスは、各ピクセルが少なくとも１つの非線形回路要素１２０に関連付けられる「アクティブマトリクス」であり得る。非線形回路要素１２０は、バックプレート電極１０４とアドレス電極１０８との間に結合され得る。いくつかの実施形態において、非線形要素１２０は、ダイオード、および／または、限定ではないが、ＭＯＳＦＥＴを含むトランジスタを含み得る。ＭＯＳＦＥＴのドレイン（またはソース）は、バックプレート電極１０４に結合され得、ＭＯＳＦＥＴのソース（またはドレイン）は、アドレス電極１０８に結合され得、ＭＯＳＦＥＴのゲートは、ＭＯＳＦＥＴのアクティブ化および非アクティブ化を制御するように構成されたドライバ電極１０６に結合され得る。（簡単にするために、バックプレート電極１０４に結合されるＭＯＳＦＥＴの端子は、ＭＯＳＦＥＴのドレインと称され、アドレス電極１０８に結合されるＭＯＳＦＥＴの端子は、ＭＯＳＦＥＴのソースと称されるであろう。しかしながら、当業者は、いくつかの実施形態において、ＭＯＳＦＥＴのソースとドレインとが交換され得ることを認識するであろう。）
【００５８】
アクティブマトリクスのいくつかの実施形態において、各列内の全てのピクセルのアドレス電極１０８は、同じ列電極に接続され得、各行内の全てのピクセルのドライバ電極１０６は、同じ行電極に接続され得る。行電極は、行ドライバに接続され得、行ドライバは、選択された行電極に、選択された行内の全てのピクセル１００の非線形要素１２０をアクティブにするために十分な電圧を印加することによって、ピクセルの１つ以上の行を選択し得る。列電極は、列ドライバに接続され得、列ドライバは、選択された（アクティブにされる）ピクセルのアドレス電極１０６に、ピクセルを所望の光学状態に駆動するために好適な電圧をかけ得る。アドレス電極１０８に印加される電圧は、ピクセルのフロントプレート電極１０２に印加される電圧（例えば、約ゼロボルトの電圧）に対するものであり得る。いくつかの実施形態において、アクティブマトリクスにおける全てのピクセルのフロントプレート電極１０２は、共通電極に結合され得る。
【００５９】
いくつかの実施形態において、アクティブマトリクスのピクセル１００は、行毎様式で書き込まれ得る。例えば、ピクセルの行は、行ドライバによって選択され得、ピクセルの行に関する所望の光学状態に対応する電圧が、列ドライバによって、ピクセルに印加され得る。「ラインアドレス時間」として公知である事前選択された間隔後、選択された行が、選択解除され得、別の行が、選択され得、列ドライバ上の電圧は、ディスプレイの別のラインが書き込まれるように、変化させられ得る。
【００６０】
図２は、本明細書に提起される主題による正面電極１０２と背面電極１０４との間に配置される電気光学結像層１１０の回路モデルを示す。抵抗器２０２およびコンデンサ２０４は、任意の接着剤層を含む電気光学結像層１１０、正面電極１０２、および背面電極１０４の抵抗および静電容量を表し得る。抵抗器２１２およびコンデンサ２１４は、ラミネーション接着剤層の抵抗および静電容量を表し得る。コンデンサ２１６は、正面電極１０２と背面電極１０４との間、例えば、結像層とラミネーション接着剤層との間および／またはラミネーション接着剤層とバックプレーン電極との間の界面等の層間の界面接触エリアに形成され得る静電容量を表し得る。ピクセルの結像フィルム１１０を横断した電圧Ｖｉは、ピクセルの残留電圧を含み得る。
【００６１】
上で説明される電気光学ディスプレイにおけるエッジアーチファクトおよび残影を検出し、低減させること、または除去することは、追加の画像データ処理を要求するであろう可能性が高く、Ａｍｕｎｄｓｏｎ  ｅｔ  ａｌ．への米国特許出願第２０１３／０１９４２５０Ａ１号（「Ａｍｕｎｄｓｏｎ」）およびＳｉｍ  ｅｔ  ａｌ．への米国特許出願第２０１６／０２２５３２２Ａ１号（「Ｓｉｍ」）（全ては、それらの全体として本明細書に組み込まれる）に説明される検出および消去方法は、適用され得るいくつかの画像データ処理方法である。しかしながら、そのような画像データ処理方法は（エッジアーチファクトおよびピクセル残影の消去も）、常に利用可能ではないこともあるそれら自身の処理時間を要求し得る。したがって、下で説明される直接更新波形モード等の高速ペースの更新波形モードにおいて、画像データ更新プロセスと同時に画像データ処理を実施することが望ましくあり得る。加えて、エッジアーチファクトおよびピクセル残影消去は、所望されるときのみトリガおよび実施され得る。
【００６２】
（直接更新またはＤＵＤＳ）
【００６３】
いくつかの用途において、ディスプレイは、「直接更新」波形モード（「ＤＵＤＳ」）等の高速ペースの更新波形モードを利用し得る。ＤＵＤＳは、２つ以上のグレーレベル、典型的に、グレースケール駆動スキーム（「ＧＳＤＳ」）より少ないグレーレベルを有し得、ＧＳＤＳは、全ての可能なグレーレベルの間の遷移を達成し得るが、ＤＵＤＳの最も重要な特性は、ＧＳＤＳで多くの場合使用される「間接」遷移（少なくともいくつかの遷移において、ピクセルが初期グレーレベルから１つの極端な光学状態に、次いで、逆方向へ最終グレーレベルに駆動される：ある場合、遷移は、初期グレーレベルから１つの極端な光学状態に、そこから、反対の極端な光学状態に、そしてようやく、最終的な極端な光学状態に、駆動することによって達成され得る）とは対照的に、遷移が初期グレーレベルから最終グレーレベルへの単純な一方向駆動によって取り扱われることである。例えば、前述の米国特許第７，０１２，６００号の図１１Ａおよび１１Ｂに図示される駆動スキームを参照されたい。したがって、この電気泳動ディスプレイは、飽和パルスの長さ（「飽和パルスの長さ」は、１つの極端な光学状態から他方の光学状態にディスプレイのピクセルを駆動するために十分である特定の電圧における期間として定義される）の約２〜３倍、または約７００〜９００ミリ秒のグレースケールモードにおける更新時間を有し得る一方、ＤＵＤＳは、飽和パルスの長さに等しいか、または、約２００〜３００ミリ秒の最大更新時間を有する。
【００６４】
上で説明される直接更新（ＤＵ）波形モードまたは駆動スキームは、本明細書に開示される主題の一般的な動作原理を解説するために本明細書で使用されることを理解されたい。これは、本主題への限定としての役割を果たすように意図されていない。これらの動作原理は、他の波形モードまたはスキームにも容易に適用されることができる。
【００６５】
ＤＵ波形モードは、通常、空の自己遷移を伴う白色および黒色への更新を考慮する駆動スキームである。ＤＵモードは、「閃光のような」遷移の最小限の出現を伴って、黒色および白色を迅速に提示するための短い更新時間を有し、ディスプレイは、点滅しているように見え、一部の視認者の眼には視覚的に魅力的ではないこともある。ＤＵモードは、時として、ディスプレイ画面上にメニュー、進捗バー、キーボード等を提示するために使用され得る。白色・白色および黒色・黒色遷移の両方がＤＵモードではヌル（すなわち、駆動されていない）ので、エッジアーチファクトが、黒色および白色背景において生じ得る。
【００６６】
上で説明されるように、駆動されていないピクセルが、更新されているピクセルに隣接して位置するとき、駆動されるピクセルの駆動が、駆動されるピクセルのエリアよりわずかに大きいエリアにわたって光学状態の変化を引き起こし、このエリアが、隣接するピクセルのエリアの中に侵入する「ブルーミング」として公知である現象が起こる。そのようなブルーミングは、駆動されないピクセルが駆動されるピクセルに隣接して位置するエッジに沿って、エッジ効果として現れる。同様のエッジ効果は、領域更新の場合、エッジ効果が更新されている領域の境界で起こることを除いて、領域更新（ディスプレイの特定の領域のみが、例えば、画像を示すように更新される）を使用するとき、起こる。時間と共に、そのようなエッジ効果は、視覚的に気が散るものになり、消去されなければならない。これまで、そのようなエッジ効果（および駆動されていない白色ピクセルにおける色ドリフトの効果）は、典型的に、間隔を置いて単一の大域的消去またはＧＣ更新を使用することによって、除去されてきた。残念ながら、そのような時折のＧＣ更新の使用は、「閃光のような」更新という問題を再導入し得、実際に、更新の閃光性は、閃光のような更新が長い間隔を置いて起こるに過ぎないという事実によって高められ得る。
（同時画像更新およびエッジアーチファクトデータ処理）
【００６７】
比較して、ディスプレイピクセルエッジアーチファクト低減方法のうちのいくつかは、各画像更新後にエッジアーチファクトを検出し、除去するように設計される画像処理に起因して、追加の待ち時間をもたらし得る。加えて、これらの低減方法におけるＤＣ非平衡波形の使用は、更新（上で提起されるＤＵモード等）の合間のわずかな滞留時間が駆動後放電を実施するために十分な時間を可能にしないので、実現可能ではないであろう。そして、駆動後放電がないと、全体的な光学性能およびモジュール信頼性に潜在的危険性が存在する。
【００６８】
代替として、いくつかの実施形態において、ＡｍｕｎｄｓｏｎおよびＳｉｍに説明されるもの等の画像データ処理は、画像更新プロセスと同時に起動され得る。例えば、ディスプレイ１００が第１の画像を更新しているとき、第１および後続の第２の画像の画像データが、処理され、エッジアーチファクトまたは他の望ましくない光学的欠陥を生じさせ得るピクセルを識別し得る。続いて、そのようなデータは、後の時間に実施されるべきエッジアーチファクト消去プロセスのために、バッファメモリの中に保存され得る。いくつかの実施形態において、画像のこのデータ処理は、後続の画像がＥＰＤＣにフィードされているときに起こり得る。ディスプレイに対して更新されるべき画像が把握されるいくつか他の実施形態において、画像のこのデータプロセスは、後続の画像が更新される前に起こり得る。
【００６９】
電気光学ディスプレイが光学的変化を経るにつれて、このエッジアーチファクト情報を追跡する、または生成して保存する１つの方法は、マップを生成することであり、このマップは、エッジアーチファクトを生じさせるであろう可能性が高いディスプレイにおけるピクセル等の情報を含み得る。１つのそのような方法は、Ｓｉｍ  ｅｔ  ａｌ．への米国特許出願第ＵＳ２０１６／１２８，９９６号（その全体として本明細書に組み込まれる）に説明される。
【００７０】
例えば、いくつかの実施形態において、駆動スキームまたは波形モード下で生成されるピクセルエッジアーチファクトは、メモリ（例えば、バイナリマップ）の中に記憶され得、例えば、各ディスプレイピクセルは、指示子ＭＡＰ（ｉ，ｊ）によって表され得、エッジアーチファクトを生じさせ得るピクセルは、フラグを付けられ得、それらのマップ情報（すなわち、ＭＡＰ（ｉ，ｊ）指示子）は、バイナリマップの中に保存され得る。マップ上の生成されたエッジアーチファクトを追跡し、そのようなピクセルにフラグを付けるために使用され得る１つのアプローチが、下で例証される。
ＭＡＰ（ｉ，ｊ）＝０  ｆｏｒ  全てのｉ、ｊ
Ｆｏｒ  連続順序における全てのＤＵ更新
Ｆｏｒ  任意の順序における全てのピクセル（ｉ，ｊ）：
Ｉｆ  ピクセルグレートーン遷移が白色→白色であり、ＡＮＤ  ４つ全ての基本隣接ピクセルが白色の次のグレートーンを有し、ＡＮＤ  少なくとも１つの基本隣接ピクセルが白色ではない現在のグレートーンを有し、ＡＮＤ  ＭＡＰ（ｉ，ｊ）の全ての隣接ピクセルが０である場合、ｔｈｅｎ  ＭＡＰ（ｉ，ｊ）＝１である。
Ｅｌｓｅ，ｉｆ  ピクセルグレートーン遷移が黒色→黒色であり、ＡＮＤ  少なくとも１つの基本隣接ピクセルが黒色ではない現在のグレートーンＡＮＤ黒色の次のグレートーンを有し、ＡＮＤ  ＭＡＰ（ｉ，ｊ）の全ての隣接ピクセルが０である場合、ｔｈｅｎ  ＭＡＰ（ｉ，ｊ）＝２である。
Ｅｎｄ
Ｅｎｄ
Ｅｎｄ
【００７１】
このアプローチにおいて、ある条件が満たされるとき、ＭＡＰ（ｉ，ｊ）と指定されたディスプレイピクセルが、１の数値でフラグを付けられ得、暗いエッジアーチファクトがこのピクセルにおいて形成されたことを示す。要求される条件のうちのいくつかは、以下を含み得る：（１）このディスプレイピクセルが、白色・白色遷移を経つつある、（２）４つ全ての基本隣接ピクセル（すなわち、４つの最も近い隣接ピクセル）が、白色の次のグレートーンを有する、（３）少なくとも１つの基本隣接ピクセルが、白色ではない現在のグレートーンを有する、（４）隣接ピクセル（すなわち、４つの基本隣接ピクセル、および、対角隣接ピクセルも）のうちのいずれも、現在、エッジアーチファクトに関してフラグを付けられていない。
【００７２】
同様に、ある条件が満たされるとき、ディスプレイピクセルＭＡＰ（ｉ，ｊ）は、２の数値でフラグを付けられ得、白色エッジがこのピクセル上に形成されたことを示す。要求される条件のうちのいくつかは、以下を含み得る：（１）このピクセルが、黒色・黒色遷移を経つつある、（２）少なくとも１つの基本隣接ピクセルが、黒色ではない現在のグレートーンを有し、その次のグレートーンが、黒色である、（３）隣接ピクセル（すなわち、４つの基本隣接ピクセル、および、対角隣接ピクセルも）のうちのいずれも、現在、エッジアーチファクトに関してフラグを付けられていない。
【００７３】
使用時、このアプローチの１つの利点は、上記の画像処理（すなわち、マップ生成およびピクセルフラグ付け）が、ディスプレイ画像更新サイクルと同時に起こり、それによって、生成されたマップが更新サイクルの完了時のみに要求されるという理由に少なくとも部分的に起因する、更新サイクルへの余分な待ち時間の生成を回避し得ることである。
【００７４】
更新モードが完了する（例えば、ディスプレイが特定の更新モードを使用することを止める）と、生成されたマップによって蓄積されたピクセル情報が、以降で、（例えば、出力波形モードを使用して）エッジアーチファクトを消去するために使用され得る。例えば、エッジアーチファクトに関してフラグを付けられたピクセルは、専門波形を伴う低閃光波形を用いて、消去され得る。
【００７５】
いくつかの実施形態において、完全消去白色・白色および黒色・黒色波形が、特別なエッジ消去白色・白色および黒色・黒色波形と併せて、エッジアーチファクトを消去するために使用され得る。例えば、米国特許出願第２０１３／０１９４２５０号（その全体として本明細書に組み込まれる）に説明される平衡パルス対は、以下を説明する。
Ｆｏｒ  任意の順序における全てのピクセル（ｉ，ｊ）
Ｉｆ  ピクセルグレートーン遷移が白色→白色ではなく、黒色→黒色ではない場合、通常のＤＵ＿ＯＵＴ遷移を呼び出す
Ｅｌｓｅ，ｉｆ  ＭＡＰ（ｉ，ｊ）が１であり、ピクセルグレートーン遷移が白色→白色である場合、特別な完全白色・白色波形を印加する
Ｅｌｓｅ，ｉｆ  ピクセルクセルグレートーン遷移が白色→白色であり、ＡＮＤ  少なくとも１つの基本隣接ピクセルが１であるＭＡＰ（ｉ，ｊ）を有する場合、特別なエッジ消去白色・白色波形を印加する
Ｅｌｓｅ，ｉｆ  ＭＡＰ（ｉ，ｊ）＝＝２であり、ピクセルグレートーン遷移が黒色→黒色である場合、特別な完全黒色・黒色波形を印加する
Ｅｌｓｅ，ｉｆ  ピクセルクセルグレートーン遷移が黒色→黒色であり、ＡＮＤ  少なくとも１つの基本隣接ピクセルが２であるＭＡＰ（ｉ，ｊ）を有する場合、特別なエッジ消去黒色・黒色波形を印加する
Ｏｔｈｅｒｗｉｓｅ  ＤＵ＿ＯＵＴ波形テーブルの黒色→黒色／白色→白色遷移を呼び出す
Ｅｎｄ
Ｅｎｄ
【００７６】
このアプローチにおいて、ＤＵ＿ＯＵＴ遷移スキーム（例えば、エッジアーチファクト低減アルゴリズムが含まれる修正されたＤＵスキーム）が、白色・白色または黒色・黒色遷移を経ることにならないピクセルに適用され得、例えば、これらのピクセルは、通常のＤＵ駆動スキーム下にある場合のように通常の遷移更新を受け得る。そうではなく、暗いエッジアーチファクト（すなわち、ＭＡＰ（ｉ，ｊ）＝１）を伴い、白色・白色遷移を経つつあるピクセルに関して、特別な完全白色・白色波形が、印加され得る。いくつかの実施形態において、この白色・白色波形は、実質的にＤＣ平衡であり得る図３ｃに図示されるものに類似する波形であり得、ＤＣ平衡は、規模および時間の関数としての電圧バイアス印加の合計が、全体で実質的にゼロであることを意味する；そうでなければ、ピクセルが白色・白色遷移を経ることになり、少なくとも１つの基本隣接ピクセルが暗いエッジアーチファクト（すなわち、ＭＡＰ（ｉ，ｊ）＝１）を有する場合、特別なエッジ消去白色・白色波形が、印加される（例えば、図３ａ）；依然として、さらに、ピクセルが白色エッジアーチファクト（すなわち、ＭＡＰ（ｉ，ｊ）＝２）を有し、黒色・黒色遷移を経つつある場合、図４ｂに図示されるような特別な完全黒色・黒色波形が、印加され得る；依然として、さらに、ピクセルが黒色・黒色遷移を経ることになり、かつ少なくとも１つの基本隣接ピクセルが白色エッジアーチファクト（すなわち、ＭＡＰ（ｉ，ｊ）＝２）に関してフラグを付けられている場合、図４ａに図示されるように、特別なエッジ消去黒色・黒色波形を印加する；そうでなければ、ＤＵ−ＯＵＴ波形テーブルからの波形を使用して、黒色・黒色または白色・白色遷移波形を全ての他のピクセルに印加する。
【００７７】
上記の方法を使用して、完全消去白色・白色および黒色・黒色波形が、エッジアーチファクトを消去するために、完全エッジ消去白色・白色および黒色・黒色波形と併せて使用される。いくつかの実施形態において、特別なエッジ消去白色・白色波形は、Ａｍｕｎｄｓｏｎ  ｅｔ  ａｌ．への米国特許公開第２０１３／０１９４２５０号（その全体として本明細書に組み込まれる）に説明されるようなパルス対、または図３ｂに図示されて挙げられるような白色へのＤＣ非平衡パルス駆動の形態をとることができ、その場合、説明される駆動後放電が、残留電圧を放電し、デバイス応力を低減させるために使用され得る。同様に、図４ａに図示されるようなＤＣ非平衡パルスは、ピクセルを黒色に駆動するために使用され得、その場合、再度、駆動後放電が、実施され得る。図４に図示されるように、そのようなＤＣ非平衡パルスは、ある期間にわたって正の１５ボルトへの駆動のみを有する。この構成において、優れたエッジ消去性能が、特別な完全消去波形の使用に起因して、わずかな遷移外観欠陥（例えば、閃光）を犠牲にして、達成されることができる。
【００７８】
別の実施形態において、遷移外観欠陥（例えば、閃光）は、下で説明される代替実装を使用して、低減させられ得る。
Ｆｏｒ  任意の順序における全てのピクセル（ｉ，ｊ）
Ｉｆ  ピクセルグレートーン遷移が白色→白色ではなく、黒色→黒色ではない場合、通常のＤＵ＿ＯＵＴ遷移を呼び出す
Ｅｌｓｅ，ｉｆ  ＭＡＰ（ｉ，ｊ）が１であり、ピクセルグレートーン遷移が白色→白色である場合、白色へのＤＣ非平衡駆動パルスを印加する
Ｅｌｓｅ，ｉｆ  ＭＡＰ（ｉ，ｊ）＝＝２であり、ピクセルグレートーン遷移が黒色→黒色である場合、黒色へのＤＣ非平衡駆動パルスを印加する
Ｏｔｈｅｒｗｉｓｅ  ＤＵ＿ＯＵＴ波形テーブルの黒色→黒色／白色→白色遷移を呼び出す
Ｅｎｄ
Ｅｎｄ
【００７９】
このアプローチにおいて、上記の第１の方法に説明されるような専門エッジ消去波形を使用する代わりに、ＤＣ非平衡波形が、エッジアーチファクトを消去するために使用され得る。いくつかの事例において、駆動後放電が、非平衡波形に起因するハードウェアストレスを低減させるために、使用され得る。使用時、ディスプレイピクセルが、白色・白色または黒色・黒色遷移のいずれも経ることにならないとき、通常のＤＵ−ＯＵＴ遷移が、ピクセルに適用される。さもなければ、ディスプレイピクセルが、暗いエッジアーチファクト（すなわち、ＭＡＰ（ｉ，ｊ）＝１）を有すると識別され、白色・白色遷移を経つつある場合、ＤＣ非平衡駆動パルスが、ピクセルを白色に駆動するために使用される（例えば、図３ｂに図示されるものに類似するパルス）；さもなければ、ディスプレイピクセルが、白色エッジアーチファクト（すなわち、ＭＡＰ（ｉ，ｊ）＝２）を有すると識別され、黒色・黒色遷移を経つつある場合、ＤＣ非平衡駆動パルス（例えば、図４ａに図示されるものに類似するパルス）が、ピクセルを黒色に駆動するために印加され；そうでなければ、ディスプレイピクセルへのＤＵ−ＯＵＴ波形テーブルの黒色・黒色または白色・白色遷移を呼び出す。
【００８０】
さらに別の実施形態において、指定メモリ場所の中にエッジアーチファクト情報を記憶する代わりに、（例えば、コントローラユニットに関連付けられる次の画像バッファを使用して）ディスプレイのコントローラユニットに関連付けられる画像バッファ内のエッジアーチファクト情報を繰り上げ得る。
Ｆｏｒ  連続順序における全てのＤＵ更新
Ｆｏｒ  任意の順序における全てのピクセル（ｉ，ｊ）：
Ｉｆ  ピクセルグレートーン遷移が白色→白色であり、ＡＮＤ  ４つ全ての基本隣接ピクセルが白色の次のグレートーンを有し、ＡＮＤ  少なくとも１つの基本隣接ピクセルが白色ではない現在のグレートーンを有する場合、ｔｈｅｎ  次のグレートーンを特別な白色・白色画像状態に設定する。
Ｅｌｓｅ，ｉｆ  ピクセルグレートーン遷移が黒色→黒色であり、ＡＮＤ  少なくとも１つの基本隣接ピクセルが黒色ではない現在のグレートーン  ＡＮＤ  黒色の次のグレートーンを有する場合、ｔｈｅｎ  次のグレートーンを特別な黒色・黒白色画像状態に設定する。
Ｅｎｄ
Ｅｎｄ
Ｅｎｄ
【００８１】
このアプローチにおいて、白色・白色遷移を経つつあるピクセル、および白色の次のグレートーンを有するその４つの基本隣接ピクセルの全てに関して、基本隣接ピクセルの現在のグレートーンの少なくとも１つが白色ではない場合、ピクセルの次のグレートーンを、次の画像バッファ内の特別な白色・白色画像状態に設定し；さもなければ、ピクセルのグレートーン遷移が黒色・黒色であり、少なくとも１つの基本隣接ピクセルが、黒色ではない現在のグレートーンと、黒色である次のグレートーンとを有する場合、ピクセルの次のグレートーンは、次の画像バッファ内の特別な黒色・黒色画像状態に設定される。使用時、更新サイクル中、特別な白色・白色および特別な黒色・黒色画像状態は、波形遷移の適用および画像処理の両方のための白色・白色および黒色・黒色画像状態と同じであり得る。波形遷移の適用に関して、それは、以下を意味する。
・  特別な白色状態→白色状態（すなわち、白色状態から白色状態）は、波形ルックアプテーブルの白色状態→白色状態（すなわち、白色状態から白色状態）と同等である
・  特別な白色状態→任意のグレー状態（すなわち、白色状態から任意のグレー状態）は、波形ルックアプテーブル等の白色状態→任意のグレー状態（すなわち、白色状態から任意のグレー状態）と同等である
・  特別な黒色状態→黒色状態（すなわち、黒色状態から黒色状態）は、波形ルックアプテーブルの黒色状態→黒色状態（すなわち、黒色状態から黒色状態）と同等である
・  特別な黒色状態→任意のグレー状態（すなわち、黒色状態から任意のグレー状態）は、波形ルックアプテーブル等の黒色状態→任意のグレー状態（すなわち、黒色状態から任意のグレー状態）と同等である
出力モード中、特別な白色・白色状態は、白色へのＤＣ非平衡パルスを受け（例えば、図３ｂが、例示的なそのようなパルスを図示する）、特別な黒色・黒色状態は、黒色へのＤＣ非平衡パルスを受けた（例えば、図４ａが、例示的なそのようなパルスを図示する）。結像アルゴリズム処理は、ＤＵモード更新中にバックグラウンドで起こり、ＤＵ更新時間が画像を処理するために使用され得ることを意味する。
【００８２】
図５ａおよび図５ｂは、適用されるエッジアーチファクト低減の有無別にディスプレイを図示する。実践において、エッジアーチファクト低減が適用されない場合、黒色背景上の白色エッジが、図５ａに示されるように、明確に見える。対照的に、図５ｂは、白色エッジが本明細書に提起される提案された方法のうちの１つを使用して消去されることを示す。
【００８３】
いくつかの実施形態において、エッジアーチファクトを伴う、または潜在的にエッジアーチファクトを生じさせ得るピクセルが、上で説明されるようにフラグを付けられ、画像更新のために使用されるメモリバッファと異なるメモリ場所に記憶され得る。例えば、画像更新のために使用されるバッファメモリと物理的に分離しているメモリに。しかしながら、ある場合、使用されるメモリの量を低減させることが望ましくあり得る。したがって、いくつかの実施形態において、画像更新のために使用されるメモリ（例えば、画像更新バッファメモリ）が、累積エッジアーチファクト情報を記憶するためにも使用され得る。例えば、電気光学ディスプレイが、光学的変化（例えば、画像更新）を経つつある間、全てのピクセルを用いてマップを生成する代わりに、個々のピクセルが、特定のピクセルがエッジアーチファクトを有するかどうかを示すために設計されるインジケータに関連付けられ得る。このインジケータは、特定のピクセルがエッジアーチファクトに関してフラグを付けられるかどうかを示すために、使用されることができる。ディスプレイが、より多くの画像更新（例えば、より多くの光学的変化）を経ると、おそらく、より多くのピクセルが、エッジアーチファクト（例えば、フラグを付けられた、またはオンにされた、これらのピクセルに関連付けられるエッジアーチファクトインジケータ）に関してフラグを付けられ得る。後の時間に、エッジアーチファクトに関してフラグを付けられたこれらのピクセルフラグは、リセット波形によって一斉に全て消去またはリセットされ得る。
【００８４】
（エッジアーチファクト消去）
【００８５】
処理されたエッジアーチファクトデータは、エッジアーチファクトを消去するために便利な時間に使用され得る。消去プロセスは、種々の条件によってトリガまたは開始され得る。
【００８６】
いくつかの実施形態において、消去要求が、ホストによってＥＰＤＣに送信される他の要求と同様に、ホスト（例えば、プロセッサ）によって開始され得、そのような要求は、他の画像更新要求と同時に送信され得る。例えば、ＤＵＤＳ波形モードがディスプレイを更新するために使用された、双方向ダイアログに続いて、ＤＵＤＳ波形モードに起因する蓄積エッジアーチファクトを消去するために、ホストは、エッジアーチファクトを消去するための具体的時間枠を設定することをＥＰＤＣに要求し得る。
【００８７】
いくつか他の実施形態において、消去プロセスは、それが表示のために便利であるときに開始され得る。例えば、ＥＰＤＣが、ある時間量にわたってアイドルになったとき、ＥＰＤＣは、消去プロセスを開始することを選定し、累積エッジアーチファクトデータを使用して、エッジアーチファクトを消去し得る。
【００８８】
さらに別の実施形態において、エッジアーチファクトを伴うピクセルの識別データを含むこの処理された画像データは、エッジアーチファクトを消去するための波形を含む駆動スキームまたは更新波形モードによって使用され得る。例えば、ＤＵＤＳ波形モードが、その高速応答時間のために使用されるペン入力を用いた用途において、アンチエイリアシングのために使用される後続の波形モードは、エッジアーチファクト消去波形を含み得、この後続の波形モードは、エッジアーチファクト情報を伴う処理された画像データを利用し、エッジアーチファクトを消去することができる。
【００８９】
いくつかの実施形態において、大域的エッジ消去（ＧＥＣ）波形モードが、エッジアーチファクトを消去するために使用され得る。図６は、サンプルＧＥＣ波形を図示し、そのような波形は、ディスプレイピクセルを極端な光学状態に駆動するように構成されたトップオフパルスを含む。そのような波形は、摂氏２５度の温度において、６つのフレームまたは６６ミリ秒の持続時間から成り得る。ＧＥＣは、内蔵エッジ消去部分を伴う波形モードと比較して、持続時間が短くあり得る。この様式において、ＧＥＣは、過剰な待ち時間を導入することなく、種々の既存の駆動波形モードに関連してエッジを消去するように便利に採用され得る。例えば、ＧＥＣが、上で記述されるＤＵＤＳ波形モードと共に使用されるとき、ＧＥＣが、短い持続時間のみを占めるので、駆動後放電が、後続の画像がディスプレイ上で更新される前にＧＥＣに続いて実施され得る。いくつかの実施形態において、ＥＰＤＣは、存在するエッジアーチファクトの量に応じて、使用すべき波形を選び、選定し得る。例えば、エッジアーチファクトの量が閾値を超える場合、ＥＰＤＣは、大域的消去波形（モード）を選定し、ディスプレイ全体を消去し得る。
【００９０】
別の実施形態において、ＥＰＤＣは、エッジアーチファクトを伴うピクセルが多くなりすぎた場合、消去波形を開始し得る。例えば、ＥＰＤＣは、エッジアーチファクトを伴うピクセルの総数を追跡し、ディスプレイにおけるピクセルの総数と比較を行うように構成されたアルゴリズムを有し得る。そのような比較は、バッファメモリ内にパーセンタイル値として記憶され得る。そのような記憶された値は、所定の閾値と周期的に比較され得、この記憶された値が閾値を超えた場合、ＥＰＤＣは、大域的消去波形モードを開始することを選定し得、この大域的消去波形は、ディスプレイにおける全ピクセルをリセットし得る（例えば、全ピクセルを極端なグレートーンレベルまたは色状態に駆動する）。
【００９１】
多数の変更および修正が、本発明の範囲から逸脱することなく、上で説明される本発明の具体的実施形態に行われ得ることが、当業者に明白であろう。故に、前述の説明の全体は、限定的ではなくて例証的な意味で解釈されるべきである。
【図１】
2021511542.tif 000003
【図２】
2021511542.tif 000004
【図３ａ】
2021511542.tif 000005
【図３ｂ】
2021511542.tif 000006
【図３ｃ】
2021511542.tif 000007
【図４Ａ】
2021511542.tif 000008
【図４Ｂ】
2021511542.tif 000009
【図５ａ】
2021511542.tif 000010
【図５ｂ】
2021511542.tif 000011
【図６】
2021511542.tif 000012
【国際調査報告】
2021511542.tif 000013
2021511542.tif 000014
2021511542.tif 000015